【手続補正書】
【提出日】平成18年9月12日(2006.9.12)
【手続補正１】
【補正対象書類名】明細書
【補正対象項目名】発明の名称
【補正方法】変更
【補正の内容】
【発明の名称】インクジェットプリンター及びインクジェット記録方法
【手続補正２】
【補正対象書類名】明細書
【補正対象項目名】特許請求の範囲
【補正方法】変更
【補正の内容】
【特許請求の範囲】
【請求項１】
少なくとも光重合性化合物及び色剤とを含有してなるインクを、記録ヘッドのノズルより噴射し被記録体上に画像を形成するインクジェットプリンターにおいて、インクジェット方式が圧電体の圧電作用を利用する方式であり、前記記録ヘッドのノズル径（Ｒ）が２０〜５０μｍであり、かつ該圧電体のインク噴射方向の長さ（Ｌ）が２．０〜５．０ｍｍであることを特徴とするインクジェットプリンター。
【請求項２】
前記記録ヘッドのノズル径（Ｒ）と圧電体のインク噴射方向の長さ（Ｌ）の比が５＜Ｒ／Ｌ＜２０であることを特徴とする請求項１記載のインクジェットプリンター。
【請求項３】
１ドット当たりの射出量が２０〜２ｐｌ（ピコリットル）であることを特徴とする請求項１又は２記載のインクジェットプリンター。
【請求項４】
インクを加熱する加熱手段を有し、該加熱手段により３０℃における粘度が１０〜５００ｍＰａ・Ｓの液体であるインクを４０〜１５０℃に加熱することを特徴とする請求項１〜３の何れか１項記載のインクジェットプリンター。
【請求項５】
紫外線を照射する紫外線照射手段を有し、被記録体上にインクを吐出した後、紫外線を照射することを特徴とする請求項１〜４の何れか１項記載のインクジェット記録方法。
【請求項６】
少なくとも光重合性化合物及び色剤とを含有してなるインクを、記録ヘッドのノズルより噴射し被記録体上に画像を形成するインクジェット記録方法において、インクジェット方式が圧電体の圧電作用を利用する方式であり、前記記録ヘッドのノズル径（Ｒ）が２０〜５０μｍであり、かつ該圧電体のインク噴射方向の長さ（Ｌ）が２．０〜５．０ｍｍであることを特徴とするインクジェット記録方法。
【請求項７】
前記記録ヘッドのノズル径（Ｒ）と圧電体のインク噴射方向の長さ（Ｌ）の比が５＜Ｒ／Ｌ＜２０であることを特徴とする請求項６記載のインクジェット記録方法。
【請求項８】
１ドット当たりの射出量が２０〜２ｐｌ（ピコリットル）であることを特徴とする請求項６又は７記載のインクジェット記録方法。
【請求項９】
被記録体上に形成されるドット径が５０〜２００μｍであることを特徴とする請求項６〜８のいずれか１項に記載のインクジェット記録方法。
【請求項１０】
３０℃における粘度が１０〜５００ｍＰａ・Ｓの液体であるインクを加熱手段により４０〜１５０℃に加熱し、該インクを記録ヘッドのノズルより噴射することを特徴とする請求項６〜９の何れか１項記載のインクジェット記録方法。
【請求項１１】
インクが実質的に水及び有機溶媒を含有しないことを特徴とする請求項６〜１０の何れか１項記載のインクジェット記録方法。
【請求項１２】
被記録体がインク吸収性のないものであることを特徴とする請求項６〜１１の何れか１項記載のインクジェット記録方法。
【請求項１３】
インク中の色剤が顔料であり、該顔料の平均分散粒径が２００ｎｍ以下で、かつ添加量が０．５〜３０質量％であることを特徴とする請求項６〜１２の何れか１項記載のインクジェット記録方法。
【請求項１４】
被記録体上に画像を形成した後、紫外線を照射することを特徴とする請求項６〜１３の何れか１項記載のインクジェット記録方法。
【手続補正３】
【補正対象書類名】明細書
【補正対象項目名】００１０
【補正方法】変更
【補正の内容】
【００１０】
１）少なくとも光重合性化合物及び色剤とを含有してなるインクを、記録ヘッドのノズルより噴射し被記録体上に画像を形成するインクジェットプリンターにおいて、インクジェット方式が圧電体の圧電作用を利用する方式であり、前記記録ヘッドのノズル径（Ｒ）が２０〜５０μｍであり、かつ該圧電体のインク噴射方向の長さ（Ｌ）が２．０〜５．０ｍｍであることを特徴とするインクジェットプリンター。
２）前記記録ヘッドのノズル径（Ｒ）と圧電体のインク噴射方向の長さ（Ｌ）の比が５＜Ｒ／Ｌ＜２０であることを特徴とする請求項１記載のインクジェットプリンター。
３）１ドット当たりの射出量が２０〜２ｐｌ（ピコリットル）であることを特徴とする前記１又は２記載のインクジェットプリンター。
４）インクを加熱する加熱手段を有し、該加熱手段により３０℃における粘度が１０〜５００ｍＰａ・Ｓの液体であるインクを４０〜１５０℃に加熱することを特徴とする前記１〜３の何れか１項記載のインクジェットプリンター。
５）紫外線を照射する紫外線照射手段を有し、被記録体上にインクを吐出した後、紫外線を照射することを特徴とする請求項１〜４の何れか１項記載のインクジェット記録方法。
６）少なくとも光重合性化合物及び色剤とを含有してなるインクを、記録ヘッドのノズルより噴射し被記録体上に画像を形成するインクジェット記録方法において、インクジェット方式が圧電体の圧電作用を利用する方式であり、前記記録ヘッドのノズル径（Ｒ）が２０〜５０μｍであり、かつ該圧電体のインク噴射方向の長さ（Ｌ）が２．０〜５．０ｍｍであることを特徴とするインクジェット記録方法。
【手続補正４】
【補正対象書類名】明細書
【補正対象項目名】００１１
【補正方法】変更
【補正の内容】
【００１１】
７）前記記録ヘッドのノズル径（Ｒ）と圧電体のインク噴射方向の長さ（Ｌ）の比が５＜Ｒ／Ｌ＜２０であることを特徴とする前記６記載のインクジェット記録方法。
【手続補正５】
【補正対象書類名】明細書
【補正対象項目名】００１２
【補正方法】変更
【補正の内容】
【００１２】
８）１ドット当たりの射出量が２０〜２ｐｌ（ピコリットル）であることを特徴とする前記６又は７記載のインクジェット記録方法。
【手続補正６】
【補正対象書類名】明細書
【補正対象項目名】００１３
【補正方法】変更
【補正の内容】
【００１３】
９）被記録体上に形成されるドット径が５０〜２００μｍであることを特徴とする前記６〜８のいずれか１項に記載のインクジェット記録方法。
【手続補正７】
【補正対象書類名】明細書
【補正対象項目名】００１４
【補正方法】変更
【補正の内容】
【００１４】
１０）３０℃における粘度が１０〜５００ｍＰａ・Ｓの液体であるインクを加熱手段により４０〜１５０℃に加熱し、該インクを記録ヘッドのノズルより噴射することを特徴とする前記６〜９の何れか１項記載のインクジェット記録方法。
【手続補正８】
【補正対象書類名】明細書
【補正対象項目名】００１５
【補正方法】変更
【補正の内容】
【００１５】
１１）インクが実質的に水及び有機溶媒を含有しないことを特徴とする前記６〜１０の何れか１項記載のインクジェット記録方法。
【手続補正９】
【補正対象書類名】明細書
【補正対象項目名】００１６
【補正方法】変更
【補正の内容】
【００１６】
１２）被記録体がインク吸収性のないものであることを特徴とする前記６〜１１の何れか１項記載のインクジェット記録方法。
【手続補正１０】
【補正対象書類名】明細書
【補正対象項目名】００１７
【補正方法】変更
【補正の内容】
【００１７】
１３）インク中の色剤が顔料であり、該顔料の平均分散粒径が２００ｎｍ以下で、かつ添加量が０．５〜３０質量％であることを特徴とする前記６〜１２の何れか１項記載のインクジェット記録方法。
【手続補正１１】
【補正対象書類名】明細書
【補正対象項目名】００１８
【補正方法】変更
【補正の内容】
【００１８】
１４）被記録体上に画像を形成した後、紫外線を照射することを特徴とする前記６〜１３の何れか１項記載のインクジェット記録方法。